(57)【要約】【課題】  十分な耐力を備えた壁材、特に建物壁面を構成する際の幅寸法の制約を減少させることを可能とする壁材を得る。【解決手段】  梁と土台間に立設される壁材１であって、左右一対で構成され、上下両端に梁及び土台に連結される接合部３，４を有する柱部２，２と、各柱部２，２の対向する各側面５，５に、柱部２の全長より短尺で、長手方向に連続し、所定深さに形成されるスリット６と、柱部２より短尺とされるとともにスリット６より長尺とされる長さの帯板状に形成され、長手方向の左右側縁に、各柱部２，２のスリット６と略同等の長さに形成される挿入代８，９が延設される板部７とを具備し、挿入代８，９がスリット６に挿入されて、板部７を各柱部２，２間に配置し、各柱部２，２の表面から裏面に向けてスリット６とともに板部７の挿入代８，９を貫通するビス１２が複数打設されて、柱部２，２と板部７とが固定され構成される。【選択図】        図１
2006200145.tif 000002
【特許請求の範囲】
【請求項１】
木造建築物における上下で対となる横架材間に配設される壁材であって、
左右一対で構成され、上下両端に、前記横架材に連結される接合部を有する柱部と、
前記各柱部の対向する各側面に、該柱部の全長より短尺で、長手方向に連続し、所定深さに形成されるスリットと、
前記柱部より短尺とされるとともに前記スリットより長尺とされる長さの帯板状に形成され、長手方向の左右側縁に、前記各柱部のスリットと略同等の長さに形成される挿入代が延設される板部と、
を具備し、
前記挿入代が前記スリットに挿入されて、前記板部を前記各柱部間に配置し、前記各柱部の表面から裏面に向けて前記スリットとともに前記板部の挿入代を貫通する線状固定部材が複数打設されて、前記柱部と板部とが固定され構成されることを特徴とする壁材。
【請求項２】
木造建築物における上下で対となる横架材間に配設する壁材であって、
前記上下横架材間に立設される柱材の柱径と略同等寸法の厚さを備え、かつ、左右幅長に比し上下長さが十分に長尺とされ前記柱材と同等長さの略帯板状に形成される本体部と、
該本体部の長手方向の両端に突設されるとともに、左右一対で構成され、前記横架材に連結される接合部を有する柱部と、
を具備することを特徴とする壁材。
【請求項３】
請求項１又は２記載の壁材を用いた木造建築構造であって、
前記上下横架材と、前記柱部に設けられる上下各接合部とを連結し接合して、前記上横架材と下横架材との間に前記壁材が立設され構築されることを特徴とする壁材を用いた木造建築構造。
【発明の詳細な説明】
【技術分野】
【０００１】
本発明は、木造建築物の工法にて採用される、土台と梁などの横架材間に立設されて構成する部材である壁材と、この壁材を用いた木造建築構造に関するものである。
【背景技術】
【０００２】
木造建築物においては、柱と梁，土台を基本の構造体とし、耐久力を高めるためにこの矩形の構造体枠の対角線に筋交いを設け耐力壁とし、所定の強度を持たせる工法、所謂軸組工法が一般的である。さらに、矩形構造体枠には、種々の補助金物などが用いられ、或いは表裏面に板材（面材）を設けるなどして強度を高めるよう構成されている。
【発明の開示】
【発明が解決しようとする課題】
【０００３】
しかしながら、上述した一般的な軸組工法では、柱と梁との間に立設される左右の柱間の幅長を約９１０ｍｍとした構造部分を基本に構成され、この基本的な構造部分を壁要素として壁倍率等を算出し、有効壁長さ、すなわち壁量を算出して建物全体の耐力を算出している。すなわち上記構造部分を耐力壁として算出されることとなっている。
【０００４】
このような耐力壁を基準に建物を設計構築すると、机上の計算と実現可能な建物形状との差異が生じる場合があり、建物の実際の壁長に制約がある場合には、自由度の高い設計が行えず、例えば建築物としてのデザイン性、或いは有効な機能性を向上させることができないという欠点がある。また、筋交い等を設ける構造体枠では、補助金物などを含め現場施行での部品点数が増え、取り扱いが煩雑なものとなり、施工性を低下させることもある。
【０００５】
そこで本発明は、上記問題点を解消するために、十分な耐力を備えた壁材、特に建物壁面を構成する際の幅寸法の制約を減少させることの可能な壁材を得ることを目的とするとともに、施工性を良好とし、この壁材を用いた木造建築構造を提供することを目的としている。
【課題を解決するための手段】
【０００６】
次に、上記の課題を解決するための手段を、実施の形態に対応する図面を参照して説明する。
この発明の請求項１記載の壁材は、木造建築物における上下で対となる横架材３１，３２間に配設される壁材１であって、
左右一対で構成され、上下両端に、前記横架材３１，３２に連結される接合部３，４を有する柱部２，２と、
前記各柱部２，２の対向する各側面５，５に、該柱部２の全長より短尺で、長手方向に連続し、所定深さに形成されるスリット６と、
前記柱部２より短尺とされるとともに前記スリット６より長尺とされる長さの帯板状に形成され、長手方向の左右側縁に、前記各柱部２，２のスリット６と略同等の長さに形成される挿入代８，９が延設される板部７と、
を具備し、
前記挿入代８，９が前記スリット６に挿入されて、前記板部７を前記各柱部２，２間に配置し、前記各柱部２，２の表面から裏面に向けて前記スリット６とともに前記板部７の挿入代８，９を貫通する線状固定部材１２が複数打設されて、前記柱部２，２と板部７とが固定され構成されることを特徴としている。
【０００７】
この壁材１によれば、左右一対の柱部２，２間に、板部７が挟み込まれるような構造となり、かつ、板部７の左右側縁に挿入代８，９を有して各柱部２，２のスリット６に挿入された状態でビスなどの線状固定部材１２にて強固に固定され、略一体な構成とされることから、上下圧縮方向に十分な耐力を備えることとなるとともに、左右幅方向に所定の長さを備えた構造とされることから、上下両端においての水平方向のせん断応力が向上し、上下横架材間における耐力として十分な耐力を得られ、耐力壁を構成することが可能となる。すなわち、狭幅ながら高剛性な耐力壁となる壁材を得ることができる。そして、この壁材１によれば、狭幅な構造とされることから、建物の壁面として構築する際に、その組み合わせなど自由度が増すこととなり、建物としての設計自由度を向上させることが可能となる。また、左右柱部２，２と板部７とが固定されて略一体な構造とされた部材とされることから、建築施工現場には、柱材等と同様な搬入が行え、立設させるのみで壁部分を構築させることが可能となり、施工性が向上することとなる。
【０００８】
請求項２記載の壁材は、木造建築物における上下で対となる横架材３１，３２間に配設する壁材２１であって、
前記上下横架材３１，３２間に立設される柱材の柱径と略同等寸法の厚さを備え、かつ、左右幅長に比し上下長さが十分に長尺とされ前記柱材と略同等長さの略帯板状に形成される本体部２２と、
該本体部２２の長手方向の両端に突設されるとともに、左右一対で構成され、前記横架材３１，３２に連結される接合部２５，２６を有する柱部２３，２４と、
を具備することを特徴している。
【０００９】
この壁材２１によれば、本体部２２と柱部２３，２４とが一体に構成され、壁状の部材でありながら、略柱状に構成され、上下圧縮方向に十分な耐力を備えることとなるとともに、左右幅方向に所定の長さを備えた構造とされることから、上下両端においての水平方向のせん断応力が向上し、上下横架材３１，３２間における耐力として十分な耐力を得られ、耐力壁を構成することが可能となる。そして、この壁材によれば、狭幅な構造となり、建物の壁面として構築する際に、その組み合わせなど自由度が増すこととなり、建物としての設計自由度を向上させることが可能となる。また、一つの部材とされることから、建築施工現場には、他の柱材と同様な搬入が行え、なおかつ、柱同様に立設させるのみで、壁部分を構築させることが可能となり、すなわち、施工性が向上することとなる。さらに、この壁材２１によれば、表裏面に凹凸の無い略平滑な構成であり、また補助金具等が位置することもないことから、外壁や内壁などの施工の際に干渉される部分がなく、その施工性を良好なものとすることができる。
【００１０】
請求項３記載の壁材を用いた木造建築構造は、請求項１又は２記載の壁材１（２１）を用いた木造建築構造であって、
前記上下横架材３１，３２と、前記柱部２，２（２３，２４）に設けられる上下各接合部３，４（２５，２６）とを連結し接合して、前記上横架材３１と下横架材３２との間に前記壁材１（２１）が立設され構築されることを特徴としている。
【００１１】
この木造建築構造によれば、上記した請求項１又は請求項２の壁材１（２１）を用いることから、一般的に、雑壁と言われる耐力に算定できない小幅な壁体部分を、この壁材１（２１）とすることで、十分な耐力を備えた家屋などの木造建築構造４０として構成することが可能となり、この壁材１を耐力壁として計算に算入することができ、すなわち、十分な耐力を有する木造建築構造にさらに耐力を加えることのできる木造建築構造４０を得ることができる。また、壁材１が狭幅な構造であることから、壁面に対して開口幅の大きな間口を有する空間や開口部を構成することが可能となり、住宅などの木造建築構造としての設計自由度が大幅に向上し、デザイン性を備えるとともに、地震や台風などの外力に対して十分な耐力を有する機能を向上させた家屋等を得ることができる。また、耐力が不足しているであろう部位にこの壁材１（２１）を配置することで、補強させることができ、このことから、木造建築物としての設計自由度が大幅に向上し、デザイン性を備え且つ十分な機能を備えた建築構造を得ることができる。
【発明の効果】
【００１２】
以上説明したように本発明による請求項１記載の壁材では、左右一対の柱部間に、板部が挟み込まれるような構造とされ、挿入代が各柱部のスリットに挿入されて線状固定部材にて強固に固定され、略一体な構成とされることから、上下圧縮方向に十分な耐力を備えることとなるとともに、左右幅方向に所定の長さを備えた構造とされることから、上下両端においての水平方向のせん断応力が向上し、上下横架材間における耐力として十分な耐力を得られ、耐力壁を構成することが可能となる。すなわち、狭幅ながら高剛性な耐力壁となる壁材を得ることができる。また、左右柱部と板部とが固定されて略一体な構造とされた部材とされることから、建築施工現場には、柱材等と同様な搬入が行え、立設させるのみで壁部分を構築させることが可能となり、施工性が向上することとなる。そして、この壁材によれば、狭幅な構造とされることから、建物の壁面として構築する際に、その組み合わせなど自由度が増すこととなり、建物としての設計自由度を向上させることが可能となる。
【００１３】
請求項２記載の壁材によれば、本体部と柱部とが一体に構成され、壁状の部材でありながら、略柱状に構成され、上下圧縮方向に十分な耐力を備えることとなるとともに、左右幅方向に所定の長さを備えた構造とされることから、上下両端においての水平方向のせん断応力が向上し、上下横架材間における耐力として十分な耐力を得られ、耐力壁を構成することが可能となる。そして、この壁材によれば、狭幅な構造となることから、建物の壁面として構築する際に、その組み合わせなど自由度が増すこととなり、建物としての設計自由度を向上させることが可能となる。また、一つの部材とされることから、建築施工現場には、他の柱材と同様な搬入が行え、なおかつ、柱同様に立設させるのみで、壁部分を構築させることが可能となり、すなわち、施工性が向上することとなる。さらに、この壁材によれば、表裏面に凹凸の無い略平滑な構成であり、また補助金具等が位置することもないことから、外壁や内壁などの施工の際に干渉される部分がなく、その施工性を良好なものとすることができる。
【００１４】
請求項３記載の木造建築構造によれば、上記した請求項１又は請求項２の壁材を用いることから、一般的に、雑壁と言われる耐力に算定できない小幅な壁体部分を、この壁材とすることで、十分な耐力を備えた家屋などの木造建築構造として構成することが可能となり、この壁材を耐力壁として計算に算入することができ、すなわち、十分な耐力を有する木造建築構造にさらに耐力を加えることのできる木造建築構造を得ることができる。また、壁材が狭幅な構造であることから、壁面に対して開口幅の大きな間口を有する空間や開口部を構成することが可能となり、住宅などの木造建築構造としての設計自由度が大幅に向上し、デザイン性を備えるとともに、地震や台風などの外力に対して十分な耐力を有する機能を向上させた家屋等を得ることができる。また、耐力が不足しているであろう部位にこの壁材を配置することで、補強させることができ、このことから、木造建築物としての設計自由度が大幅に向上し、デザイン性を備え且つ十分な機能を備えた建築構造を得ることができる。
【発明を実施するための最良の形態】
【００１５】
図１は本発明による壁材の第１の実施の形態を示す分解斜視図、図２は同壁材の斜視図である。
本発明の壁材は、土台と梁などの略水平方向に配置され上下に位置する横架材間に垂直に立設配置され、両横架材間を連結する部材である。
【００１６】
この壁材１は、柱部２と板部７とで大略構成される。
柱部２は、左右一対で構成される。この柱部２は、上下横架材間に通常配置される柱材と略同等の柱径にて構成される。各柱部２の上下両端には、接合部３，４が形成されている。接合部３，４は、例えば、図１に示すように、相対する横架材である土台や梁に予め形成されるほぞ穴に対応した形状のほぞよりなる。なお、この接合部３，４の形状は、これに限ることはなく、その他の仕口形状、継手形状で構成することとしてもよい。
【００１７】
柱部２の側面５には、柱部２の全長より短尺で、この柱部２の長手方向に沿って連続し、所定の深さ、好ましくは柱径の１／２よりも短い深さとされるスリット６が形成される。なお、この柱部２のスリット６は、一対の柱部２，２を左右位置として配置した際に、互いに対向するようになる。
【００１８】
板部７は、細幅な略短冊帯板状に形成される。この板部７は、柱部２の全長より短尺とされるとともに、スリット６の長さより長尺な長さに設定される。本実施の形態では、例えば、合板よりなり、柱部２よりやや短い構成とされ、また、幅長は、従来の面材として使用される板部材の幅長（約９１０ｍｍ）に比し約１／３以下の約２００〜３００ｍｍとされ、すなわち左右幅長に比し上下長さが十分に長尺とされる帯板状に形成されている。さらに、この板部７は、厚さを上記したスリット６の溝幅と略同等とされる。
【００１９】
また、この板部７には、長手方向左右側縁に挿入代８，９が延設されている。挿入代８，９は、柱部７のスリット６の長さと略同等の長さに形成されている。また、側縁からの延出長さはスリット６の深さよりもやや短尺に形成されている。本実施の形態では、挿入代８，９の長さ、すなわち延出長さをスリット６の深さと略同等の長さとしている。これら挿入代８，９により、板部７の左右側縁における上下両端部分、すなわち四隅部分は、矩形に切欠形成された形状とされ、それぞれが当接段部１０，１１とされ、それぞれがスリット６の両端部分、若しくは少なくとも下端の当接段部１１がスリット６の下端に当接することとなる。
【００２０】
このような構成の柱部２と板部７は、図１，２に示すように、線状固定部材１２にて互いが固定されて略一体構造となる。すなわち、左右一対の柱部２，２の対向する各スリット６，６に、板部７の左右挿入代８，９がそれぞれ挿入され、各柱部２，２間に板部７が配置されて、左右各柱部２，２の表面から裏面に向けて、スリット６及び挿入代８，９を貫通させて線状固定部材１２、例えばビス、ネジ、釘、ボルトなどが複数打設されることで、互いが固定されることとなる。なお、線状固定部材１２の打設の際には、柱部２，２及び又は挿入代８，９に、予め下穴が穿設されていることとしてもよい。線状固定部材１２の打設位置は、例えば柱部２の側面５からの深さ位置としてスリット６の深さの略１／２の位置とされ、長手方向に等間隔となって打設される。
【００２１】
この壁材１によれば、図２に示すように、左右柱部２，２間に板部７が配置されて、上下に長尺で狭幅なものとなり、上下に梁３１及び土台３２が接合され連結された状態では、左右柱部２，２間の板部７の上部及び下部に、表裏方向に貫通した空間部１３を備えたものとなる。なお、この空間部１３は、表裏方向の通気性の確保として機能する。そして、本実施の形態では、壁材１として構成された状態の寸法は、左右柱部の中心から中心までの長さが約３５０ｍｍとされる。
【００２２】
この壁材１では、左右一対の柱部２，２間に、板部７が挟み込まれるような構造となり、かつ、板部７の左右側縁に挿入代８，９を有して各柱部２，２のスリット６に挿入された状態でビスなどの線状固定部材１２にて強固に固定され、略一体な構成とされることから、上下圧縮方向に十分な耐力を備えることとなるとともに、左右幅方向に所定の長さを備えた構造とされることから、上下両端においての水平方向のせん断応力が向上し、上下横架材間における耐力として十分な耐力を得られ、耐力壁を構成することが可能となる。すなわち幅長約９１０ｍｍとされて左右の柱材と上下横架材で構成される基本枠状構造体に筋交いを設けた一般的な耐力壁に比べ、十分な強度を有し、狭幅ながら高剛性な耐力壁となる壁材を得ることができる。そして、この壁材１によれば、従来から使用されている基準とされる幅長約９１０ｍｍの壁構造体に比べ、十分に狭幅な、本実施の形態では約３５０ｍｍという狭幅な構造となり、建物の壁面として構築する際に、その組み合わせなど自由度が増すこととなり、建物としての設計自由度を向上させることが可能となる。
【００２３】
また、左右柱部２，２と板部７とが固定されて略一体な構造とされた部材とされることから、建築施工現場には、柱と同様な搬入が行え、なおかつ、柱同様に土台３２と梁３１との間に立設させるのみで、壁部分を構築させることが可能となり、すなわち施工現場での複数の補助金物などの取り付けなどが必要最小限なものとなり、上下の接合部３，４にて接合させる作業となって設置時間の短縮化が図れ、施工性が向上することとなる。
【００２４】
この壁材１によれば、十分な耐力を得ることが可能となり、すなわち、一般的な構造の壁材に比べ、狭幅であっても十分な耐力を有することから、通常耐力として算定できない雑壁とされずに、建物としての耐力壁として計算に算入可能となり、これにより、間口に対して小幅で十分な耐力を得られる壁面を備えた構造物を構築でき、すなわち、間口を広く構成した建物であっても、十分な耐力を有した木造建築物を得ることができ、このことから、木造建築物としての設計自由度が大幅に向上し、デザイン性を備え且つ機能を向上させた建築物を得ることが可能となる。
【００２５】
また、この壁材１によれば、小幅な構造であることから、壁面に対して開口幅の大きな間口を有する空間や開口部を構成することが可能となり、建物構造体としての設計自由度が大幅に向上し、デザイン性を備えて機能を向上させた木造建築物を得ることができる。例えば、６畳間の短辺部となる１．５間の幅間において、幅１間分の窓開口部を設けるには、従来では耐力壁を壁面の左右いずれかに寄せて設計構築しなければならなかったが、本発明の壁材１によれば、窓開口部の左右両側に、この壁材１を配置することで壁面の略中央に窓を構成させることが可能となる。
【００２６】
図３は本発明による壁材の第２の実施の形態を示す斜視図である。
この第２の実施の形態の壁材２１は、上述した第１の実施の形態の壁材１と同様に梁３１と土台３２などの略水平方向に配置される上下に位置する横架材間に垂直に配置され、両横架材間を連結する部材である。
【００２７】
この第２の実施の形態の壁材２１は、本体部２２と柱部２３，２４とで大略構成される。
本体部２２は、梁３１と土台３２など上下横架材間に立設される柱材の柱径と略同等の寸法の厚さに形成されるとともに、左右幅長が細幅で、この幅長に比し上下の長さが十分に長尺とされる略帯板状に形成される。本実施の形態では、本体部２２は、厚さを柱径と略同等の寸法とされ、上下長さは柱材の長さよりやや短尺とされる。
【００２８】
柱部２３，２４は、本体部２２の上下両端に突設されているとともに、左右一対で構成される。これら柱部２３，２４は、図３に示すように、先端に接合部２５，２６が形成されている。接合部２５，２６は、例えば、図３に示すように、相対する横架材である梁３１や土台３２に予め形成されるほぞ穴に対応した形状のほぞよりなる。なお、この接合部２５，２６の形状は、このような矩形状に限ることはなく、その他の仕口形状、継手形状で構成することとしてもよい。本実施の形態では、壁材２１として構成された状態の寸法は、左右柱部の中心から中心までの長さである幅長が約３５０ｍｍとされる。
【００２９】
また、これら柱部２３，２４の上部柱部２３から下部柱部２４までの、本体部２２を含め、上下接合部２５，２６を除いた長さは、上記柱材の長さと同等な長さとされている。すなわち、この壁材２１としては、所定の厚さの帯板状に形成される集成材を素材とし、この帯板状集成材の上下両端となる長手方向両端の中央部分を矩形状に切り欠き、上下のそれぞれの端部に左右で一対となる柱部２３，２４を形成するとともに、それらの先端に接合部２５，２６を形成することで得られる。
【００３０】
この壁材１によれば、図３に示すように、上下に長尺で狭幅なものとなり、上下に梁３１及び土台３２が接合され連結された状態では、上部及び下部における左右柱部２３，２４間に、表裏方向に貫通した空間部２７を備えたものとなる。この空間部２７は、表裏方向の通気性の確保として機能する。
【００３１】
このような構成よりなる壁材２１は、本体部２２と柱部２３，２４とが一体に構成され、壁状の部材でありながら、略柱状に構成され、上述した第１の実施の形態と略同様に、上下圧縮方向に十分な耐力を備えることとなるとともに、左右幅方向に所定の長さを備えた構造とされることから、上下両端においての水平方向のせん断応力が向上し、上下横架材間における耐力として十分な耐力を得られ、耐力壁を構成することが可能となる。そして、この壁材によれば、従来から使用されている基準とされる柱中心間の幅長約９１０ｍｍの壁構造体に比べ、十分に狭幅な、本実施の形態では約３５０ｍｍという狭幅な構造となり、建物の壁面として構築する際に、その組み合わせなど自由度が増すこととなり、建物としての設計自由度を向上させることが可能となる。
【００３２】
また、一つの部材とされることから、建築施工現場には、他の柱材と同様な搬入が行え、なおかつ、柱同様に土台３２と梁３１との間に立設させるのみで、壁部分を構築させることが可能となり、すなわち施工現場での複数の補助金物などの取り付けなどが必要最小限なものとなり、上下の接合部２５，２６にて接合させる作業となって設置時間の短縮化が図れ、施工性が向上することとなる。
【００３３】
この壁材２１によれば、十分な耐力を得ることが可能となり、すなわち、一般的な構造の壁材に比べ、狭幅であっても十分な耐力を有することから、通常耐力として算定できない雑壁とされずに、建物としての耐力壁として計算に算入可能となり、これにより、間口に対して狭い幅で十分な耐力を得られる壁面が得られる構造物を構築でき、すなわち、間口を広く構成した建物であっても、十分な耐力を有した木造建築物を得ることができ、このことから、木造建築物としての設計自由度が大幅に向上し、デザイン性を備え且つ機能を向上させた建築物を得ることができるものである。
【００３４】
また、この壁材２１によれば、小幅な構造であることから、壁面に対して開口幅の大きな間口を有する空間や開口部を構成することが可能となり、建物構造体としての設計自由度が大幅に向上し、デザイン性を備えて機能を向上させた木造建築物を得ることができる。例えば、６畳間の短辺部となる１．５間の幅間において、幅１間分の窓開口部を設けるには、従来では耐力壁を壁面の左右いずれかに寄せて設計構築しなければならなかったが、本発明の壁材２１によれば、窓開口部の左右両側に、この壁材を配置することで壁面の中央に窓を構成させることが可能となる。
【００３５】
さらに、この壁材２１によれば、表裏面に凹凸の無い略平滑な構成であり、また補助金具等が位置することもないことから、外壁や内壁などの施工の際に干渉される部分がなく、その施工性を良好なものとすることができる。
【００３６】
次に、上述した壁材を用いた木造建築構造について説明する。
図４は壁材を上下横架材間に配置した状態の木造建築構造の概略正面図、図５は壁材を用いた木造建築構造の概略平断面図である。
なお、この実施の形態においては、上述した第１の実施の形態の壁材１を用いた例として説明する。
この木造建築構造４０では、図４に示すように、梁３１と土台３２との間に、他の柱材と同様に上述した壁材１を立設し、構成するものである。すなわち、壁材１の上下両端に形成される接合部３，４であるほぞを、予め土台３２と梁３１とに形成されているほぞ穴に挿着する。
【００３７】
なお、好ましくは、図４に示すように、左右両柱部２，２の上下両端には、ホールダウン金物４１を装着して、土台３２及び梁３１に対しての接合状態を確実なものとする。
【００３８】
この壁材１としては、上記したように、予め工場内などで柱部２，２と板部７とを組み、ビスなどの線状固定部材１２にて固定されており、施工現場では、クレーン等で持ち上げて、土台３２上に立設し、また上端に梁３１が連結され、木造建築構造４０として組み上げられる。
【００３９】
このような壁材１を用いた木造建築構造４０は、一般的に、雑壁と言われる耐力に算定できない小幅な壁体部分を、上述した柱部２，２と板部７とで大略構成される壁材１とすることで、十分な耐力を備えた家屋などの木造建築構造４０として構成することが可能となり、この壁材１を耐力壁として計算に算入することができ、すなわち、十分な耐力を有する木造建築構造にさらに耐力を加えることのできる木造建築構造４０を得ることができる。
【００４０】
また、壁材１が狭幅な構造であることから、壁面に対して開口幅の大きな間口を有する空間や開口部を構成することが可能となり、住宅などの木造建築構造としての設計自由度が大幅に向上し、デザイン性を備えるとともに、地震や台風などの外力に対して十分な耐力を有する機能を向上させた家屋等を得ることができる。例えば、図５（ａ）に示すような６畳間４０ａの短辺部分となる１．５間の幅間Ｗにおいて、１間分の窓開口部Ａを設けるには、従来では耐力壁を壁面の左右いずれかに寄せて設計構築しなければならなかったが、この壁材１によれば、窓開口部Ａの左右両側に、この壁材１を配置することで壁面の略中央に窓Ａを構成させることが可能となり、採光性や通気性なども加味した構造を有する木造建築構造４０を得ることが可能となる。また、図５（ｂ）に示すようなビルトインガレージ４０ｂなどを構築する場合にも、従来では１．５間の間口Ｗとなるビルトインガレージは、その間口幅長から実現不可能であり、耐力壁を設けることで間口幅が狭まってしまいビルトインガレージとして設計構築が不可能であったが、本発明では上記壁材１を設けることで、幅長が小さいことから、その間口を大きく狭めることなく、十分な間口開口を備えて構成でき、その設計自由度が向上することとなる。
【００４１】
すなわち、この木造建築構造４０で用いられる壁材１は、幅長が小さく、この幅長に比して上下方向の長尺な略帯板状に形成されているが、十分な耐力を備えており、すなわち一般的な構造の壁材に比べ、狭幅であっても十分な耐力を有する壁材１となることから、通常耐力として算定できない雑壁とされずに、木造建築物としての耐力壁として計算に算入可能となり、これにより、間口に対して小幅で十分な耐力を得られる壁面が得られる構造物を構築でき、すなわち、間口を広く構成した建物であっても、十分な耐力を有した木造建築物を得ることができ、また、耐力が不足しているであろう部位にこの壁材を配置することで補強させることができ、このことから、木造建築物としての設計自由度が大幅に向上し、デザイン性を備え且つ機能を向上させた建築物を得ることができるものである。
【００４２】
なお、上述した実施の形態では、壁材１（２１）を、他の柱材とともに用いるような例について述べたが、この壁材１（２１）のみを使用して、すなわち、従来から用いられる柱材を使用せずに、壁材１（２１）を梁３１と土台３２などの横架材間に立設配置し、家屋などの木造建築構造を構築することとしてもよい。すなわち、補強を行いたい部分として壁材１（２１）を用いるのではなく、この壁材１（２１）で縦方向の構成部材を構成させることとしても良い。
【００４３】
また、上述した各実施の形態において、幅長について約３５０ｍｍで構成される例を示したが、本発明の壁材は、その構造によって十分な耐力を備える壁材、及び木造建築構造が得られることであり、上記数値等に限定されることはない。
【実施例】
【００４４】
以下、実施例により本発明を説明するが、本発明はこれら具体的数値での例にて限定されるものではなく、通常用いられる一般的な構造体の寸法を基に試験体を構成し実施を行った。
なお、各例は、上述した各実施の形態に示した構成であり、評価方法としては次の通りである。
【００４５】
試験体１（上述の第１の実施の形態の構成の壁材１）（図１参照）
柱部２は、柱径を１０５ｍｍ角とされ、全長は、接合部３，４を除く長さが、約２５８７ｍｍとする。スリット６の長さは、約２２００ｍｍとし、また、深さは柱径の１／２よりも短い深さとした約４５ｍｍ、溝幅は約１３ｍｍとする。板部７は、長さ約２４８７ｍｍとされ、柱部２よりやや短い。また、幅長は、約２００ｍｍとされ、すなわち左右幅長に比し上下長さが十分に長尺とされる帯板状に形成される。さらに、この板部７の厚さは、約１２ｍｍとされる。左右側縁の挿入代８，９の延出長さは４０ｍｍとする。線状固定部材であるビス１２の打設位置は、柱部２の側面５からの深さ位置として約２０ｍｍの位置とされ、柱部２の長手方向１００ｍｍ間隔に打設される。そして両柱部２の中心間の距離は約３５０ｍｍとされる。
また、柱部２の材質は、おうしゅうあかまつとされる。板部７の材質は、構造用合板とされる。また、横架材である梁は１０５ｍｍ×１８０ｍｍ、土台は１０５ｍｍ×１０５ｍｍ、それぞれの材質はべいまつとする。各横架材と柱部との接合は、短ほぞ差しとされ、ホールダウン金物を用いる。
【００４６】
試験体２（上述の第２の実施の形態の構成の壁材２１）（図３参照）
本体部２２は、厚さを上記柱径と略同等の約１０５ｍｍとし、左右幅長を約５０５ｍｍ、上下長さは柱材の長さよりやや短尺な約２４８７ｍｍとする。また、柱部２３，２４の上部柱部２３から下部柱部２４までの、本体部２２を含め、上下接合部２５，２６を除いた長さは、上記柱材の長さと同等な約２５８７ｍｍとする。なお、両柱部の中心間の距離は約３５０ｍｍとされる。また、材質はおうしゅうあかまつの集成材とされ、他は上記試験体１と同様とする。
【００４７】
比較例
上記同様の土台と梁との間に一対の柱径１０５ｍｍ角の柱材を立設し、筋交いを設けた一般的な耐力壁構造の構成とする。
【００４８】
そして、１００ｋＮ多数回繰り返し対応型加力試験機を使用し、各試験体，比較例において、正負交番繰り返し加力を行い、水平方向変位、上下方向変位を測定し、短期基準せん断耐力を測定した。
その結果、以下のような値が得られた。
【００４９】
試験体１…６．９ｋＮ／０．３５ｍ
試験体２…８．８ｋＮ／０．３５ｍ
比較例…３．９２ｋＮ／ｍ
ここで、試験体１及び２の単位を比較例とともに揃えると、
試験体１…１９．７１ｋＮ／ｍ
試験体２…２５．１４ｋＮ／ｍ
となる。
【００５０】
すなわち、比較例である、筋交いを用いた耐力壁構造の耐力に比し、本発明の壁材の耐力が十分に大きく得られることがわかる。
このことから、本発明の壁材は、幅長の狭い壁体であるが、上記のように十分な耐力を備え、通常耐力として算定できない雑壁とされずに、建物としての耐力壁として計算に算入させるこが可能となる。これにより、間口に対して狭い幅で十分な耐力を得られる壁面が得られる構造物を構築でき、すなわち、間口を広く構成した建物であっても、十分な耐力を有した木造建築物を得ることができ、このことから、木造建築物としての設計自由度が大幅に向上し、デザイン性を備え且つ機能を向上させた建築物を得ることができるものである。
【図面の簡単な説明】
【００５１】
【図１】本発明による壁材の第１の実施の形態を示す分解斜視図である。
【図２】同壁材の斜視図である。
【図３】本発明による壁材の第２の実施の形態を示す斜視図である。
【図４】壁材を上下横架材間に配置した状態の木造建築構造の概略正面図である。
【図５】壁材を用いた木造建築構造の概略平断面図である。
【符号の説明】
【００５２】
１…壁材
２…柱部
３，４…接合部
５…側面
６…スリット
７…板部
８，９…挿入代
１２…線状固定部材
２１…壁材
２２…本体部
２３，２４…柱部
２５，２６…接合部
３１…横架材（梁）
３２…横架材（土台）
４０…木造建築構造
【図１】
2006200145.tif 000003
【図２】
2006200145.tif 000004
【図３】
2006200145.tif 000005
【図４】
2006200145.tif 000006
【図５】
2006200145.tif 000007